(57)【要約】【課題】書類束をセットしておくだけで、自動的にシュレッダーに制限枚数の書類束が円盤状ツメ体により強制送出され、裁断させることができる自動紙送り機構及び自動紙送り装置を提供する。【解決手段】噛合する切断刃を有するシュレッダー部の回転駆動力を伝達して複数枚の紙をシュレッダに供給するシュレッダー用自動紙送り装置の紙送り機構において、紙送り装置に装備される紙送り用ローラの側面に、紙を刺衝しながらシュレッダ本体に自動供給する鋭利部が形成された円盤状ツメ体を装備した構造である。また、前記円盤状ツメ体は、円盤状ツメ体の外周縁に沿って鋭利部が形成されて構造でもある。さらに、前記円盤状ツメ体は、円盤状ツメ体の周縁に対して略垂直に鋭利部を形成している構造でもある。【選択図】    図１
2007314304.tif 000002
【特許請求の範囲】
【請求項１】
噛合する切断刃を有するシュレッダー部の回転駆動力を伝達して複数枚の紙をシュレッダに供給するシュレッダー用自動紙送り装置の紙送り機構において、
紙送り装置に装備される紙送り用ローラの側面に、紙を刺衝しながらシュレッダ本体に自動供給する鋭利部が形成された円盤状ツメ体を装備したことを特徴とする紙送り機構
【請求項２】
前記円盤状ツメ体は、円盤状ツメ体の外周縁に沿って鋭利部が形成されていることを特徴とする請求項１記載の紙送り機構
【請求項３】
前記円盤状ツメ体は、円盤状ツメ体の周縁に対して略垂直に鋭利部を形成していることを特徴とする請求項１記載の紙送り機構
【請求項４】
自動紙送り装置は、本体と、紙送り機構と、紙送出口と、からなり、
前記自動紙送り機構は、裁断する紙葉をセットして保持する給紙トレイと、該給紙トレイの略中央部に紙を確実に送出供給するために紙を上部から押圧し回動自在に設置されたローラを含み装置両側内面に渡って設けられる軸に軸着し前記円盤状ツメ体とローラと第一ギアが装備され第一ギアと係合する第二ギアとからなる第一ユニットと、前記第二ギアと係合する第三ギアとローラとシュレッダー部から駆動力を伝達するための受動ギア部を装備した第二ユニットギアと、からなることを特徴とする請求項１記載の紙送り装置
【請求項５】
前記自動紙送り装置は、装置自体で駆動力を確保するために、前記第二ユニットギアに動力を伝達するように駆動源を装備したことを特徴とする請求項４記載の紙送り装置
【発明の詳細な説明】
【技術分野】
【０００１】
本発明は、複数枚の紙葉を送り出すことができる自動紙送り機構及び自動紙送り装置に関し、特に、鋭利部を設けた円盤状ツメ体を装備することにより、複数枚の紙葉に穿孔しつつ送出することができる自動紙送り機構及び紙送り装置に関する。
【背景技術】
【０００２】
近年情報流出防止の観点から、書類をそのまま破棄せずにシュレッダー等の裁断機により粉砕してからゴミ処理を行っている。シュレッダーも近年では性能が上がり、細かく裁断するものが増えているが、一度に処理できる枚数は限られているのが問題であった。今まで販売されているシュレッダーは、一枚若しくはシュレッダーに規定されている裁断可能枚数を直接シュレッダーの投入口に入れなければならず、大量の枚数をシュレッダーに裁断させるときは、稼動している間シュレッダーから離れられないという問題があった。
そこで、出願人は「給紙装置付シュレッダー及び給紙装置」（特願２００６−２４４８４）を開発し、出願を行っている。この装置は、シュレッダーに複数枚の紙葉を自動的に送り出すことを可能にする装置である。この装置は、紙葉の自重と下方向に設けられたローラによって紙葉を引き込む構造である。しかし、裁断する紙葉は、紙に傷がついても問題ではないので、確実に送出することのできる別の構造の装置も開発していた。
そこで、紙送り機構にツメ鋭利部を形成した円盤状ツメ体を装備して強制的に紙葉を送出することのできる自動紙送り機構及び自動紙送り装置の開発が待たれていた。
【特許文献１】特願２００６−２４４８４号
【発明の開示】
【発明が解決しようとする課題】
【０００３】
上記問題を解決するため、本発明に係る自動紙送り機構及び自動紙送り装置は、書類束をセットしておくだけで、自動的にシュレッダーに制限枚数の書類束が円盤状ツメ体により強制送出され、裁断させることができる自動紙送り機構及び自動紙送り装置を提供することを目的としている。
【課題を解決するための手段】
【０００４】
本発明に係る自動紙送り機構及び自動紙送り装置は、噛合する切断刃を有するシュレッダー部の回転駆動力を伝達して複数枚の紙をシュレッダに供給するシュレッダー用自動紙送り装置の紙送り機構において、紙送り装置に装備される紙送り用ローラの側面に、紙を刺衝しながらシュレッダ本体に自動供給する鋭利部が形成された円盤状ツメ体を装備した構造である。また、前記円盤状ツメ体は、円盤状ツメ体の外周縁に沿って鋭利部が形成されて構造でもある。さらに、前記円盤状ツメ体は、円盤状ツメ体の周縁に対して略垂直に鋭利部を形成している構造でもある。
【０００５】
自動紙送り装置は、本体と、紙送り機構と、紙送出口と、からなり、前記自動紙送り機構は、裁断する紙葉をセットして保持する給紙トレイと、該給紙トレイの略中央部に紙を確実に送出するために紙を上部から押圧し回動自在に設置されたローラを含み装置両側内面に渡って設けられる軸に軸着し前記円盤状ツメ体とローラと第一ギアが装備され第一ギアと係合する第二ギアとからなる第一ユニットと、前記第二ギアと係合する第三ギアとローラとシュレッダー部から駆動力を伝達するための受動ギア部を装備した第二ユニットギアと、からなる構造である。また、前記自動紙送り装置は、装置自体で駆動力を確保するために、前記第二ユニットギアに動力を伝達するように駆動源を装備した構造でもある。
【発明の効果】
【０００６】
本発明に係る自動紙送り機構および自動紙送り装置は、上記詳述した通りの構成であるので、以下のような効果がある。
１．自動紙送り装置に装備されるローラの1箇所に紙に穿孔して送出をさせる鋭利部が形成された円盤状ツメ体を装備したことにより、紙葉を強制的に送り出すことができる。
２．鋭利部を円盤状ツメ体の回転方向に対して外周面に沿って形成することにより、確実に紙葉に穿孔して紙を送り出すことができる。
３．鋭利部を円盤状ツメ体の周縁に対して略垂直に形成することにより、簡単な成型により円盤状ツメ体を作る事が可能となる。
４．上記自動紙送り機構を紙送り装置に組み込むことにより、紙葉を確実に送出する自動紙送り装置を提供することが可能となる。
５．駆動源を設けることにより、紙送り装置単体で動作させることが可能となる。
【発明を実施するための最良の形態】
【０００７】
以下本発明にかかる自動紙送り機構および自動紙送り装置を図面に示す実施例に基づいて詳細に説明する。図１は自動紙送り機構のローラ部分の斜視図であり、図２は円盤状ツメ体の側面図であり、図３は別の円盤状ツメ体の側面図である。図４は自動紙送り装置の構造図である。
本発明の自動紙送り機構１０は、駆動力伝達部２０と、ローラ３０と、円盤状ツメ体４０と、からなる。
【０００８】
駆動力伝達部２０は、この実施例ではシュレッダー部（図示しない）からの動力を伝達して自動紙送り機構１０を駆動させる。主に、複数のギアからなるギア群であり、シュレッダー部の動力を伝達して、最終的にはローラ３０を回転させる。この実施例ではシュレッダー部からの動力を伝達させてローラ３０を回転させる構成としているが、自動紙送り機構１０を備えた紙送り装置自体に駆動源を設ける構成としてもよい。
【０００９】
ローラ３０は、駆動力伝達部２０からの動力により回転する円注状部材であり、両端か若しくは一端に鋭利部４２を持つ円盤状ツメ体４０を装備している。
この実施例の円盤状ツメ体４０は、鋭利部４２ａが円盤状ツメ体４０の回転方向に対して外周面に沿って鋭利部を形成している形状か、若しくは円盤状ツメ体４０の周縁に対して略垂直に鋭利部４２ｂを形成した形状である。外周面に沿って鋭利部４２ａを形成している形状は、円盤状ツメ体４０の回転方向に対して形成されているため、ローラ３０が回転することにより円盤状ツメ体４０が紙葉を突き刺すように確実に送り出すことが可能となる。また、円盤状ツメ体４０の周縁に対して略垂直に鋭利部４０ｂを形成した形状は、略垂直に形成しているため、どのような角度であっても紙葉に穿孔することができ、紙が乱雑になっていても確実に送り出すことができる。
【００１０】
本発明の自動紙送り機構１０は、本体５０と、紙送出口６０とからなる自動紙送り装置１２に組み込むことによりシュレッダー部の上に搭載して使用することが可能となる。
自動紙送り装置１２に装備される自動紙送り機構１０は、給紙トレイ７０と、第一ユニット８０と、第二ユニットギア９０とからなる構成である。
給紙トレイ７０は、複数枚の紙葉をセットし、ローラ３０により送出される紙葉の待機場所である。ローラ３０の円盤状ツメ体４０により送出される構成であるため、紙葉がセットされる角度はどの角度を用いてもよく、水平の給紙トレイとしてもよい。また、円盤状ツメ体４０が確実に回転し、確実に紙葉を穿孔・送出できるように、給紙トレイ７０には孔７２が形成されている。
【００１１】
第一ユニット８０は、給紙トレイ７０の略中央部に紙を確実に送出するために紙を上部から押圧し回動自在に設置されたローラ３０を含み装置両側内面に渡って設けられる軸８２に軸着する構造である。また、ローラ３０に装備される第一ギア８４と、第一ギア８４に係合する第二ギア８６とからなる構成でもある。ローラ３０と、ローラ３０に装備されている円盤状ツメ体４０により紙を送出する構造である。
第二ユニットギア９０は、第二ギア８６と係合する第三ギア９２と、紙を送出する別のローラ９４と、受動ギア部９６とからなる。第三ギアとローラ９４は係合しており、第三ギア９２が回転することによりローラ９４も同時に回転して紙を送出する構成となっている。
【００１２】
本発明の自動紙送り装置は、紙を給紙トレイにセットすると、給紙トレイ７０の裏面に設けられた弾性体（図示しない）により持ち上げられ、ローラ３０と接触する。詳細には図示していないが、シュレッダー部の動作開始により駆動力伝達部２０の各ギアが軸８２を回動させて、第一ユニット８０及び第二ユニットギア９０により動力がローラ３０に伝えられ、ローラ３０に装備される円盤状ツメ体４０が回転して紙葉に鋭利部４２が突き刺さりローラの回転とともに強制的にシュレッダー部の方向に送出する。その際に、送出される紙葉は単体ではなく複数枚の紙葉を送出することも可能である。この調整は、円盤状ツメ体に形成される鋭利部の大きさを変更することで対処することが可能となる。
【００１３】
本発明の自動紙送り機構及び自動紙送り装置は、ローラに鋭利部が形成された爪を装備して、紙葉に鋭利部を突き立てて強制的に送出する構成としたため、従来ローラ単体の力で送出する自動紙送り装置よりも確実に送出することが可能となった。
【図面の簡単な説明】
【００１４】
【図１】自動紙送り機構のローラ部分の斜視図
【図２】円盤状ツメ体の側面図
【図３】別の円盤状ツメ体の側面図
【図４】自動紙送り装置の構造図
【符号の説明】
【００１５】
１０    自動紙送り機構
１２    自動紙送り装置
２０    駆動力伝達部
３０    ローラ
４０    円盤状ツメ体
４２    鋭利部
５０    本体
６０    紙送出口
７０    給紙トレイ
７２    孔
８０    第一ユニット
８２    軸
８４    第一ギア
８６    第二ギア
９０    第二ユニットギア
９２    第三ギア
９４    ローラ
【図１】
2007314304.tif 000003
【図２】
2007314304.tif 000004
【図３】
2007314304.tif 000005
【図４】
2007314304.tif 000006
【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
噛合する切断刃を有するシュレッダー部の回転駆動力を伝達して複数枚の紙をシュレッダに供給するシュレッダー用自動紙送り装置の紙送り機構において、
紙送り装置に装備される紙送り用ローラの側面に、紙を刺衝しながらシュレッダ本体に自動供給する鋭利部が形成された円盤状ツメ体を装備したことを特徴とする紙送り機構
【請求項２】
前記円盤状ツメ体は、円盤状ツメ体の外周縁に沿って鋭利部が形成されていることを特徴とする請求項１記載の紙送り機構
【請求項３】
前記円盤状ツメ体は、円盤状ツメ体の周縁に対して略垂直に鋭利部を形成していることを特徴とする請求項１記載の紙送り機構
【請求項４】
自動紙送り装置は、本体と、紙送り機構と、紙送出口と、からなり、
前記自動紙送り機構は、裁断する紙葉をセットして保持する給紙トレイと、該給紙トレイの略中央部に紙を確実に送出供給するために紙を上部から押圧し回動自在に設置されたローラを含み装置両側内面に渡って設けられる軸に軸着し前記円盤状ツメ体とローラと第一ギアが装備され第一ギアと係合する第二ギアとからなる第一ユニットと、前記第二ギアと係合する第三ギアとローラとシュレッダー部から駆動力を伝達するための受動ギア部を装備した第二ユニットギアと、からなることを特徴とする請求項１記載の紙送り機構を備えた紙送り装置
【請求項５】
前記自動紙送り装置は、装置自体で駆動力を確保するために、前記第二ユニットギアに動力を伝達するように駆動源を装備したことを特徴とする請求項４記載の紙送り装置
【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
噛合する切断刃を有するシュレッダー部の回転駆動力を伝達して複数枚の紙をシュレッダに供給するシュレッダー用自動紙送り装置の紙送り機構において、
紙送り装置に装備される紙送り用ローラの側面に、紙を刺衝しながらシュレッダ本体に自動供給する鋭利部が形成された円盤状ツメ体を装備するとともに、前記鋭利部は円盤状ツメ体の外周縁に沿って形成されていることを特徴とする紙送り機構。
【請求項２】
噛合する切断刃を有するシュレッダー部の回転駆動力を伝達して複数枚の紙をシュレッダに供給するシュレッダー用自動紙送り装置の紙送り機構において、
紙送り装置に装備される紙送り用ローラの側面に、紙を刺衝しながらシュレッダ本体に自動供給する鋭利部が形成された円盤状ツメ体を装備するとともに、前記鋭利部は円盤状ツメ体の周縁に対して略垂直に形成されていることを特徴とする紙送り機構。
【請求項３】
自動紙送り装置は、本体と、紙送り機構と、紙送出口と、からなり、
前記自動紙送り機構は、裁断する紙葉をセットして保持する孔を形成した給紙トレイと、該給紙トレイの略中央部に紙を確実に送出供給するために紙を上部から押圧し回動自在に設置されたローラを含み装置両側内面に渡って設けられる軸に軸着し前記円盤状ツメ体とローラと第一ギアが装備され第一ギアと係合する第二ギアとからなる第一ユニットと、前記第二ギアと係合する第三ギアとローラとシュレッダー部から駆動力を伝達するための受動ギア部を装備した第二ユニットギアと、からなることを特徴とする請求項１または２記載の紙送り機構を備えた紙送り装置。
【請求項４】
前記自動紙送り装置は、装置自体で駆動力を確保するために、前記第二ユニットギアに動力を伝達するように駆動源を装備したことを特徴とする請求項３記載の紙送り装置。
【手続補正２】
【補正対象書類名】明細書
【補正対象項目名】０００４
【補正方法】変更
【補正の内容】
【０００４】
本発明に係る自動紙送り機構及び自動紙送り装置は、噛合する切断刃を有するシュレッダー部の回転駆動力を伝達して複数枚の紙をシュレッダに供給するシュレッダー用自動紙送り装置の紙送り機構において、紙送り装置に装備される紙送り用ローラの側面に、紙を刺衝しながらシュレッダ本体に自動供給する鋭利部が形成された円盤状ツメ体を装備するとともに、前記鋭利部は円盤状ツメ体の外周縁に沿って形成されている構造である。
また、噛合する切断刃を有するシュレッダー部の回転駆動力を伝達して複数枚の紙をシュレッダに供給するシュレッダー用自動紙送り装置の紙送り機構において、紙送り装置に装備される紙送り用ローラの側面に、紙を刺衝しながらシュレッダ本体に自動供給する鋭利部が形成された円盤状ツメ体を装備するとともに、前記鋭利部は円盤状ツメ体の周縁に対して略垂直に形成されている構成である。
【手続補正３】
【補正対象書類名】明細書
【補正対象項目名】０００５
【補正方法】変更
【補正の内容】
【０００５】
自動紙送り装置は、本体と、紙送り機構と、紙送出口と、からなり、前記自動紙送り機構は、裁断する紙葉をセットして保持する孔を形成した給紙トレイと、該給紙トレイの略中央部に紙を確実に送出供給するために紙を上部から押圧し回動自在に設置されたローラを含み装置両側内面に渡って設けられる軸に軸着し前記円盤状ツメ体とローラと第一ギアが装備され第一ギアと係合する第二ギアとからなる第一ユニットと、前記第二ギアと係合する第三ギアとローラとシュレッダー部から駆動力を伝達するための受動ギア部を装備した第二ユニットギアと、からなる構造である。また、前記自動紙送り装置は、装置自体で駆動力を確保するために、前記第二ユニットギアに動力を伝達するように駆動源を装備した構造でもある。
【手続補正４】
【補正対象書類名】明細書
【補正対象項目名】０００９
【補正方法】変更
【補正の内容】
【０００９】
ローラ３０は、駆動力伝達部２０からの動力により回転する円柱状部材であり、両端か若しくは一端に鋭利部４２を持つ円盤状ツメ体４０を装備している。
この実施例の円盤状ツメ体４０は、鋭利部４２ａが円盤状ツメ体４０の回転方向に対して外周面に沿って鋭利部を形成している形状か、若しくは円盤状ツメ体４０の周縁に対して略垂直に鋭利部４２ｂを形成した形状である。外周面に沿って鋭利部４２ａを形成している形状は、円盤状ツメ体４０の回転方向に対して形成されているため、ローラ３０が回転することにより円盤状ツメ体４０が紙葉を突き刺し、円盤状ツメ体４０が紙を送り出すことが可能となる。また、円盤状ツメ体４０の周縁に対して略垂直に鋭利部４０ｂを形成した形状は、略垂直に形成しているため、どのような角度であっても紙葉に穿孔することができ、紙が乱雑になっていても確実に送り出すことができる。